(57)【要約】      （修正有）【課題】パイルに取り付けられた機械式装置および油圧プレス法によってパイルのサイズを大きくするフローティングパイル法を提供する。【解決手段】パイル１ａに溶接またはリンクボルト締結具３ａによって機械式装置２ａを接続し、機械式装置２ａを拡大するために、パイル頂部にピストンとシリンダーを取り付け、高圧水ジェットとサンド・サック・パイプを接続して、ピストンでパイル内の水を押すことで機械式装置２ａを押して、コンクリートを機械式装置に注ぐ。その結果、パイル１ａのサイズを大きくすることができる。【選択図】図２
2019027263.tif 000002
【特許請求の範囲】
【請求項１】
フローティングパイルの施工方法の請求項
フローティングパイルの施工方法の概要：
ステップ１：地面に穴を開けて、パイルを地面に押し込み設計の高さに合わせる、
ステップ２：パイルに水を汲み上げ、パイル頂部にピストンとシリンダーを取り付け、高圧水ジェットとサンド・サック・パイプを接続する、
ステップ３：パイル内の水を押して機械的な装置を押す力を作り出すために、ウォータージェットは装置の周りの土を液化させる。砂の吸引によりデバイスの前にスペースができる。水圧をかけて機械装置を伸ばし、パイルの新しい型枠を作る。
ステップ４：ピストンを取り外し、コンクリートモルタルを機械設備で作られた型枠に注ぐ。同時に、コンクリートグラウトを装置の周りにポンピングする。
ステップ５：建設後のコンクリートの点検と硬化。
【請求項２】
機械式装置の請求項
機械式装置の詳細：
（１）バースチールボックス
（２）−ジオテキスタイル、防水
−ジオテキスタイルを支持する引張りケーブル
（３）伸張棒鋼箱
（４）ジェットノズル
（５）サンド・サック・パイプ
（６）保護装置フランジ
（７）スチールメッシュ保護
（８）スチールコーナープロテクション。
【発明の詳細な説明】
【技術分野】
【０００１】  本発明は、機械式装置および油圧プレス法によってパイルのサイズを大きくすることに関するものである。本発明の技術分野は基礎工事である。
【背景技術】
【０００２】  良好な土壌におけるパイルのサイズの拡大は、パイルの支持能力を増加させる。したがって、設計におけるパイルの数が減少し、建設費も減少する。【０００３】  現在、プレキャストコンクリートパイルは、全長が１５〜３０ｍであるのに対して、直径は約０．４ｍに過ぎない。こうした細長いパイル形状であるために水平支持の利用が摩擦を除き、困難である。本発明では、パイル上の複数の結び目（節部）によるパイルの拡張を行う。それは地面におけるパイルの基礎面積を増加させることに役立つ。
【先行技術文献】
【特許文献】
【非特許文献】
【０００４】
【非特許文献１】パスカルの法則を適用する  パスカルの原理（パスカルのげんり、英語：Ｐａｓｃａｌ’ｓ  ｐｒｉｎｃｉｐｌｅ）は、ブレーズ・パスカルによる「密閉容器中の流体は、その容器の形に関係なく、ある一点に受けた単位面積当りの圧力をそのままの強さで、流体の他のすべての部分に伝える。」という流体静力学における基本原理である。
【非特許文献２】ウォータージェット支援パイル打ち  パイルを地面に押し込む場合、ウォータージェットを併用することで貫入抵抗力を効果的に低減できます。パイルチップの近くに取り付けられたジェットノズルから、必要に応じて高圧水を地中に噴出することで、土粒子間の間隙水圧を一時的に高め、土粒子が移動しやすい状態を作り出す。
【発明の概要】
【発明が解決しようとする課題】
【０００５】  従来技術の問題点は地面のパイルサイズを増やすのが難しい状況である。解決しようとする問題点は、フローティングパイルの技術を適用することで、効率的かつ論理的に地中のパイルサイズを大きくすることができる。
【課題を解決するための手段】
【０００６】  中空コンクリートパイルを大きなシリンダに変換し、パイルの頂部にピストンを取り付けることでパイルヘッドを拡大させる。これには膨大な推力が必要となる。そこで、パスカルの原理により、パイルヘッド外周部に数百トンの膨大な推力を発生させることでパイルヘッドの拡大が可能となる。もしくは、機械式装置という、パイルの直径とほとんど同じ大きさまで小型化（収納）が可能な型枠装置を利用し、パイルヘッドを拡大する。
【発明の効果】
【０００７】  本発明の特徴は、コスト削減、建設廃土軽減などが挙げられる。
【図面の簡単な説明】
【０００８】
【図１】図１はパイルに取り付けられた機械式装置および油圧プレス法の施工方法を示したフローチャートである。
【図２】図２（Ａ）は拡張前のパイルと機械式装置のイメージである。図２（Ｂ）は拡張前のパイルと機械式装置の断面である。
【図３】図３（Ａ）は拡張後のパイルと機械式装置のイメージである。図３（Ｂ）は拡張後のパイルと機械式装置の断面である。
【図４】図４（Ａ）はパイルを地面に押し込み設計の高さに合わせる。図４（Ｂ）はパイルの断面である。
【図５】図５はパイルに水を汲み上げ、パイル頂部にピストンとシリンダーを取り付け、高圧水ジェットと砂サッカーを接続する。
【図６】図６はパイル内の水を押して、ウォータージェットを適用し、砂の吸引をする。
【図７】図７はピストンを外し、コンクリートモルタルを機械装置で作られた型枠に注ぎ、コンクリートグラウトを装置の周りに入れる。
【図８】図８は建設後のコンクリートの点検と硬化である。
【図９】図９（Ａ）は拡張前の機械式装置の詳細である。図９（Ｂ）は拡張後の機械式装置の詳細である。図９（Ｃ）は拡張機械式装置の様々な形状である。
【図１０】図１０はパイル頂部のピストン圧力の計算である。
【発明を実施するための形態】
【０００９】  フローティングパイルを地面に押し込んだ後、フローティングパイの新技術は、パイルのサイズ（足場の面積、直径パイル）を大きくすることが可能である。
【００１０】  図１は、パイルに取り付けられた機械式装置および油圧プレス法の施工方法を示したフローチャートである。
【００１１】  図２（Ａ）に示されるように、フローティングパイルはパイル１ａと機械式装置２ａを含む。機械式装置は、溶接またはリンクボルト締結具３ａによってパイルに接続されている。
【００１２】  また図２（Ｂ）は、拡張前のパイルと機械式装置の断面を示す。１ａは中空鋼またはコンクリートパイル、２ａは機械式装置、３ａは溶接またはリンクボルト締結具である。
【００１３】  図３（Ａ）に示すように、パイル上の複数の［＊結び目］によるパイルの拡張を行って、２ｂは拡張して装置内にコンクリートを注いた機械式装置である。また１ｂはパイル内にコンクリートを注いたパイルである。
【００１４】  図３（Ｂ）は、拡張後のパイルと機械式装置の断面である。
【００１５】  次に図４（Ａ）に示すように、地面に穴を開けパイルを地面に押し込み設計の高さに合わせる（ステップ１０１）。
【００１６】  図４（Ｂ）は、パイルの断面である。１は機械式装置のバースチールボックスであって、２は防水のジオテキスタイル、３は機械式装置の伸張棒鋼箱、４はジェットノズル、５はサンド・サック・パイプである。
【００１７】  図５に示すようにパイルに水を汲み上げ、パイル頂部にピストンとシリンダー６ａを取り付け、高圧水ジェットとサンド・サック・パイプ５ａを接続する（ステップ１０２）。
【００１８】  図６に示すように、ピストン７ａでパイル内の水を押すことで機械的な装置２ａを押す力を作り出すために、ウォータージェット４を用いて装置の周りの土９を液化させる。砂の吸引５により機械式装置の前にスペースができる。水圧をかけて機械装置２ａを伸ばし、パイルの新しい型枠を作る（ステップ１０３）。
【００１９】  図７では、ピストンを取り外しコンクリートモルタルを機械式装置で作られた型枠２ｂに注ぐ。同時に、コンクリートグラウト１０を装置の周りにポンピングする。（ステップ１０４）。
【００２０】  図８は、建設後のコンクリートの点検と硬化である（ステップ１０５）。
【００２１】  次に図９（Ａ）に示すように、機械式装置はパイルの直径とほとんど同じ大きさまで小型化（収納）が可能な型枠装置である。１は装置の主荷重支持構造のバースチールボックス、２は防水のジオテキスタイル、３は膨張後の装置の主力支持構造の伸張棒鋼箱、４はジェットノズル、５はサンド・サック・パイプ、６は保護装置フランジ、７はスチールメッシュ保護、８はスチールコーナープロテクションである。
【００２２】  図９（Ｂ）は、パイル内の水圧下で延ばされる装置を示す。
【００２３】  図９（Ｃ）は、拡張機械式装置の様々な形状である。
【００２４】  図１０は、パイル頂部のピストン圧力の計算である。Ｐ３は機械式装置の位置における土壌の圧力、Ｐ２は装置正面の液体土壌の圧力、Ｐ１は機械式装置内部の水圧、Ｆ１はピストンの圧縮力、Ｓ１はピストンの面積、Ｈは機械式装置からピストンまでの水柱の高さである。
【００２５】    一般にピストンの圧縮力Ｆ１は、下記の数式１によって求まるということが数学的にすでにわかっている。
【００２６】
【数１】
2019027263.tif 000003
【産業上の利用可能性】
【００２７】フローティングパイルは、工場での大量生産が可能。
【符号の説明】
【００２８】１ａ  パイル（コンクリート、鋼…中空内部）
１ｂ  パイル内にコンクリートを注ぐ
２ａ  機械式装置
２ｂ  拡張した機械式装置内にコンクリートを注ぐ
３ａ  溶接またはリンクボルト締結具
４ａ  パイルに水をポンピングする
５ａ  高圧水ジェットとサンド・サック・パイプを接続する
６ａ  パイル頂部にピストンとシリンダーを取り付ける
７ａ  パイル内の水をピストンで押して機械的な装置を押す力を作り出す
１    バースチールボックス
２    ジオテキスタイル、防水
ジオテキスタイルを支持する引張りケーブル
３    伸張棒鋼箱
４    ジェットノズル
５    サンド・サック・パイプ
６    保護装置フランジ
７    スチールメッシュ保護
８    スチールコーナープロテクション
９    砂が吸い込まれた場所
１０  機械式装置の周りにコンクリートグラウトをポンピングする。
【図１】
2019027263.tif 000004
【図２】
2019027263.tif 000005
【図３】
2019027263.tif 000006
【図４】
2019027263.tif 000007
【図５】
2019027263.tif 000008
【図６】
2019027263.tif 000009
【図７】
2019027263.tif 000010
【図８】
2019027263.tif 000011
【図９】
2019027263.tif 000012
【図１０】
2019027263.tif 000013